(57)【要約】      （修正有）【課題】塵埃をカバーの外部に容易に排出することが可能なコンバインを提供する。【解決手段】正面視で横側壁８Ａとカバー１３との間に位置する状態で、フィードチェーン９の下方に設けられ、塵埃を上カバー部材１４の下端Ｐ１と下カバー部材１５の上端Ｐ２との隙間Ｇからカバー１３の外部に向けて案内する案内部材４５を備えている。案内部材４５は、上カバー部材１４の横内方を上下方向に沿って延びる状態で隙間Ｇを通されてカバー１３の外部まで延ばされている。【選択図】図６
2020103161.tif 000002
【特許請求の範囲】
【請求項１】
刈取穀稈を脱穀処理する脱穀装置と、
前記脱穀装置の横外方に設けられ、刈取穀稈を挟持搬送して前記脱穀装置に供給するフィードチェーンと、
前記フィードチェーンに対して横外側に位置し、前記脱穀装置の横側壁を横外方から覆うカバーと、が備えられているコンバインであって、
前記カバーは、上カバー部材と下カバー部材とに上下に分割されて構成され、
正面視で前記横側壁と前記カバーとの間に位置する状態で、前記フィードチェーンの下方に設けられ、塵埃を前記上カバー部材の下端と前記下カバー部材の上端との隙間から前記カバーの外部に向けて案内する案内部材が備えられ、
前記案内部材は、前記上カバー部材の横内方を上下方向に沿って延びる状態で前記隙間を通されて前記カバーの外部まで延ばされているコンバイン。
【請求項２】
前記案内部材の下端部は、前記下カバー部材の上端よりも下側の高さ位置まで延ばされている請求項１に記載のコンバイン。
【請求項３】
前記案内部材のうち前記カバーの外部に位置する部分は、前記下カバー部材の外面に沿わされている請求項１又は２に記載のコンバイン。
【請求項４】
前記下カバー部材は、前記横側壁に対して着脱可能に構成され、
前記案内部材の下部は、弾性変形可能な部材によって構成されている請求項１から３の何れか一項に記載のコンバイン。
【請求項５】
前記上カバー部材の横内方に、動力伝達用の回転体が設けられ、
前記案内部材は、前記上カバー部材と前記回転体との間を通されている請求項１から４の何れか一項に記載のコンバイン。
【請求項６】
前記上カバー部材から横外方に露出する状態で設けられ、前記脱穀装置に支持部材を介して支持される人為操作式の操作部材が備えられ、
前記案内部材は、前記支持部材に支持されている請求項１から５の何れか一項に記載のコンバイン。
【発明の詳細な説明】
【技術分野】
【０００１】
本発明は、刈取穀稈を脱穀処理する脱穀装置と、脱穀装置の横外方に設けられ、刈取穀稈を挟持搬送して脱穀装置に供給するフィードチェーンと、フィードチェーンに対して横外側に位置し、脱穀装置の横側壁を横外方から覆うカバーと、が備えられているコンバインに関する。
【背景技術】
【０００２】
上記のようなコンバインとして、例えば、特許文献１に記載のコンバインが既に知られている。特許文献１に記載のコンバインには、刈取穀稈を脱穀処理する脱穀装置（文献では「脱穀装置〔５〕」）と、脱穀装置の横外方に設けられ、刈取穀稈を挟持搬送して脱穀装置に供給するフィードチェーン（文献では「脱穀フィードチェーン〔１３〕」）と、フィードチェーンに対して横外側に位置し、脱穀装置の横側壁を横外方から覆うカバーと、が備えられている。
【先行技術文献】
【特許文献】
【０００３】
【特許文献１】特開２０１８−１０２１５３号公報
【発明の概要】
【発明が解決しようとする課題】
【０００４】
特許文献１に記載のコンバインでは、藁屑等の塵埃がフィードチェーンから下方に落下して、カバーの内部に堆積するという問題がある。
【０００５】
上記状況に鑑み、塵埃をカバーの外部に容易に排出することが可能なコンバインが要望されている。
【課題を解決するための手段】
【０００６】
本発明の特徴は、刈取穀稈を脱穀処理する脱穀装置と、前記脱穀装置の横外方に設けられ、刈取穀稈を挟持搬送して前記脱穀装置に供給するフィードチェーンと、前記フィードチェーンに対して横外側に位置し、前記脱穀装置の横側壁を横外方から覆うカバーと、が備えられているコンバインであって、前記カバーは、上カバー部材と下カバー部材とに上下に分割されて構成され、正面視で前記横側壁と前記カバーとの間に位置する状態で、前記フィードチェーンの下方に設けられ、塵埃を前記上カバー部材の下端と前記下カバー部材の上端との隙間から前記カバーの外部に向けて案内する案内部材が備えられ、前記案内部材は、前記上カバー部材の横内方を上下方向に沿って延びる状態で前記隙間を通されて前記カバーの外部まで延ばされていることにある。
【０００７】
本特徴構成によれば、フィードチェーンから下方に落下した藁屑等の塵埃が案内部材によって、上カバー部材の下端と下カバー部材の上端との隙間を通ってカバーの外部まで案内されることになる。これにより、塵埃をカバーの外部に容易に排出することができる。
【０００８】
さらに、本発明において、前記案内部材の下端部は、前記下カバー部材の上端よりも下側の高さ位置まで延ばされていると好適である。
【０００９】
本特徴構成によれば、塵埃が案内部材の下端部によって、カバーの外部で下カバー部材の上端よりも下側の高さ位置まで案内されることになる。これにより、塵埃をカバーの外部に確実に排出することができる。
【００１０】
さらに、本発明において、前記案内部材のうち前記カバーの外部に位置する部分は、前記下カバー部材の外面に沿わされていると好適である。
【００１１】
本特徴構成によれば、カバーの外部に排出された塵埃が下カバー部材の外面に沿って流下し易い。
【００１２】
さらに、本発明において、前記下カバー部材は、前記横側壁に対して着脱可能に構成され、前記案内部材の下部は、弾性変形可能な部材によって構成されていると好適である。
【００１３】
本特徴構成によれば、下カバー部材を取り外す際に、下カバー部材が案内部材の下部に接触すると、案内部材の下部が変形することになる。これにより、下カバー部材を取り外す際に、案内部材の下部が邪魔になり難い。
【００１４】
さらに、本発明において、前記上カバー部材の横内方に、動力伝達用の回転体が設けられ、前記案内部材は、前記上カバー部材と前記回転体との間を通されていると好適である。
【００１５】
本特徴構成によれば、カバーの外部からの異物が上カバー部材の下端と下カバー部材の上端との隙間を通って回転体に接触しないように、回転体を案内部材によって保護することができる。
【００１６】
さらに、本発明において、前記上カバー部材から横外方に露出する状態で設けられ、前記脱穀装置に支持部材を介して支持される人為操作式の操作部材が備えられ、前記案内部材は、前記支持部材に支持されていると好適である。
【００１７】
本特徴構成によれば、操作部材用の支持部材を、案内部材を支持する部材として利用することができる。
【図面の簡単な説明】
【００１８】
【図１】自脱型コンバインを示す左側面図である。
【図２】脱穀装置を示す左側面図である。
【図３】脱穀装置を示す背面図である。
【図４】扱胴を上昇させた状態の脱穀装置を示す背面図である。
【図５】案内部材を示す左側面図である。
【図６】案内部材を示す正面断面図である。
【発明を実施するための形態】
【００１９】
本発明を実施するための形態について、図面に基づき説明する。なお、以下の説明では、図１において、矢印Ｆの方向を「機体前側」、矢印Ｂの方向を「機体後側」、矢印Ｆの方向に向かって水平方向の左側を「機体左側」、矢印Ｆの方向に向かって水平方向の右側を「機体右側」とする。
【００２０】
〔コンバインの全体構成〕
図１には、自脱型コンバインを示している。本コンバインには、走行機体１が備えられている。走行機体１には、機体フレーム２と、クローラ走行装置３と、が備えられている。機体の前部には、圃場の植立穀稈を刈り取る刈取部４が設けられている。機体のうち右側の箇所において、刈取部４の後方には、運転キャビン５が設けられている。運転キャビン５には、運転部６と、運転部６を覆うキャビン７と、が備えられている。運転部６の下方には、エンジン（図示省略）が設けられている。
【００２１】
刈取部４の後方には、刈取穀稈を脱穀処理する脱穀装置８が設けられている。脱穀装置８の横外方（左方）には、刈取穀稈を挟持搬送して脱穀装置８に供給するフィードチェーン９が設けられている。フィードチェーン９は、ガイドフレーム１０に案内支持されている。脱穀装置８の右隣りには、脱穀装置８の脱穀処理によって得られた穀粒を貯留する穀粒貯留タンク１１が設けられている。穀粒貯留タンク１１内の穀粒を排出する穀粒排出装置１２が設けられている。
【００２２】
フィードチェーン９に対して横外側（左側）に位置し、脱穀装置８の横側壁（左側壁）８Ａ（図６参照）を横外方から覆うカバー１３が設けられている。カバー１３は、上カバー部材１４と下カバー部材１５とに上下に分割されて構成されている。上カバー部材１４は、前上カバー体１６と後上カバー体１７とに前後に分割されて構成されている。前上カバー体１６及び後上カバー体１７は、夫々、左側壁８Ａに対して着脱可能に構成されている。ガイドフレーム１０の前部には、前上カバー体１６の前部が取り外し可能に取り付けられる取り付けフレーム１８が設けられている。下カバー部材１５は、前下カバー体１９と後下カバー体２０とに前後に分割されて構成されている。前下カバー体１９及び後下カバー体２０は、夫々、左側壁８Ａに対して着脱可能に構成されている。
【００２３】
〔脱穀装置〕
図２に示すように、脱穀装置８の上部には、扱室２１が形成されている。扱室２１には、扱胴２２が設けられている。扱胴２２は、前後方向に延びる軸心Ｙ１周りで回転可能なように、扱胴軸２２ａを介して前後両側の第一側板２３に支持されている。扱胴２２の下方には、受網２４が設けられている。扱胴２２の後方には、塵埃を外部に排出する排塵ファン２５が設けられている。
【００２４】
脱穀装置８の下部には、選別対象物を揺動選別する揺動選別装置２６や揺動選別装置２６に選別風を送風する唐箕２７、一番物の穀粒（単粒化穀粒等）を回収する一番回収部２８、二番物の穀粒（枝梗付き穀粒等）を回収する二番回収部２９が設けられている。一番回収部２８には、一番物の穀粒を右方に向けて搬送する一番スクリュ３０が備えられている。一番スクリュ３０からの一番物の穀粒を穀粒貯留タンク１１に向けて揚穀搬送する揚穀装置３１が設けられている。二番回収部２９には、二番物の穀粒を右方に向けて搬送する二番スクリュ３２が備えられている。二番スクリュ３２からの二番物の穀粒を揺動選別装置２６に還元する二番還元装置３３が設けられている。
【００２５】
図３及び図４に示すように、各第一側板２３は、前後方向に延びる軸心Ｙ２周りで上下揺動可能なように、各第二側板３４に支持されている。後側の第一側板２３と後側の第二側板３４とに亘って、シリンダ３５が設けられている。シリンダ３５の伸長動作によって、扱胴２２が前後両側の第一側板２３と共に上昇し、シリンダ３５の縮長動作によって、扱胴２２が前後両側の第一側板２３と共に下降する。扱胴２２を脱穀処理を行う脱穀処理位置（図３参照）に位置保持する扱胴ロック機構３６が設けられている。
【００２６】
〔操作スイッチ〕
図５及び図６に示すように、シリンダ３５の伸長動作によって扱胴２２を上昇させる指令（上昇指令）及びシリンダ３５の縮長動作によって扱胴２２を下降させる指令（下降指令）を行う人為操作式の操作スイッチ３７（本発明に係る「操作部材」に相当）が設けられている。操作スイッチ３７は、前上カバー体１６の前端部から横外方（左方）に露出する状態で設けられている。
【００２７】
操作スイッチ３７は、ブラケット３８（本発明に係る「支持部材」に相当）を介して脱穀装置８の前壁８Ｂに支持されている。ブラケット３８は、取り付けフレーム１８を迂回して（言い換えると、取り付けフレーム１８とは縁が切れた状態で）設けられている。ブラケット３８には、操作スイッチ３７が取り付けられる取り付け部３９と、取り付け部３９と前壁８Ｂとに亘るアーム部４０と、アーム部４０を補強するための補強部４１と、が備えられている。アーム部４０には、上下方向に沿って延びる上下部分４０ａと、左右方向に沿って延びる左右部分４０ｂと、前後方向に沿って延びる前後部分４０ｃと、が備えられている。
【００２８】
取り付け部３９は、その横幅ができるだけ薄くなうように構成されている。取り付け部３９と前上カバー体１６の開口縁部との間には、雨水等が浸入しないように、トリム（図示省略）が設けられている。左右部分４０ｂは、ガイドフレーム１０の下方において、フィードチェーン９のうち上側経路部分と下側経路部分との間を通されている。前後部分４０ｃの後端部は、前壁８Ｂから前方に向かって突出する支持部４２にボルト４３によって固定されている。補強部４１は、上下部分４０ａと左右部分４０ｂと前後部分４０ｃとに亘る状態で設けられ、かつ、これらに固定（例えば、溶接固定）されている。補強部４１は、藁屑等の塵埃がその上面に沿って滑り落ち易いように、後下がりに傾斜する形状に形成されている。操作スイッチ３７用のハーネス４４が上下部分４０ａ、左右部分４０ｂ及び前後部分４０ｃに沿って配策されている。
【００２９】
〔案内部材〕
図５及び図６に示すように、藁屑等の塵埃を前上カバー体１６の下端Ｐ１と前下カバー体１９の上端Ｐ２との隙間Ｇからカバー１３の外部に向けて案内する案内部材４５が設けられている。案内部材４５は、正面視で左側壁８Ａと前上カバー体１６との間に位置する状態で、フィードチェーン９の前部（搬送始端部）の下方に設けられている。案内部材４５は、前上カバー体１６の横内方（右方）を上下方向に沿って延びる状態で隙間Ｇを通されてカバー１３の外部まで延ばされている。案内部材４５は、取り付け部３９の下端部にボルト４６によって固定されている。すなわち、案内部材４５は、ブラケット３８に支持されている。案内部材４５には、案内部材４５の上部を構成する上案内体４７と、案内部材４５の下部を構成する下案内体４８と、が備えられている。
【００３０】
上案内体４７は、取り付け部３９の下端部から下方に向かって延び出る形状に形成されている。上案内体４７には、右下がりに傾斜する傾斜部分４７ａと、上下方向に沿って延びる上下部分４７ｂと、が備えられている。傾斜部分４７ａの上端部は、取り付け部３９の下端部にボルト４６によって固定されている。取り付け部３９の下端部は、傾斜部分４７ａに沿って傾斜する形状に形成されている。上下部分４７ｂは、傾斜部分４７ａの下端部から前上カバー体１６の下端Ｐ１と前下カバー体１９の上端Ｐ２との間の高さ位置（具体的には、前上カバー体１６の下端Ｐ１と前下カバー体１９の上端Ｐ２との間の略上下中央部に対応する高さ位置）まで延ばされている。
【００３１】
下案内体４８は、上下部分４７ｂの下端部から下方に向かって延びる状態で隙間Ｇを通されてカバー１３の外部まで延ばされている。下案内体４８は、弾性変形可能な部材によって構成されている。本実施形態では、下案内体４８は、ゴム等の樹脂製のシート部材によって構成されている。下案内体４８は、前上カバー体１６の前端部に対応する前後位置と前壁８Ｂに対応する前後位置とに亘って、前後方向に沿って延びている。下案内体４８は、前下カバー体１９の横幅内に位置し、かつ、フィードチェーン９の横幅内に位置している。下案内体４８は、上下部分４７ｂの下端部に右方から当て付けられ、かつ、押さえ板４９によって右方から押さえ付けられた状態で、ボルト５５によって固定されている。
【００３２】
前下カバー体１９の上部には、右上がりに傾斜する傾斜部１９ａが形成されている。下案内体４８は、前下カバー体１９のうち傾斜部１９ａの下端部（屈曲部１９ｂ）と前上カバー体１６の横外面の下端部とを結ぶ線Ｌに対して、横内側（右側）に位置している。下案内体４８の下端部は、前下カバー体１９の上端Ｐ２よりも下側の高さ位置まで延ばされている。具体的には、下案内体４８の下端部は、前下カバー体１９のうち傾斜部１９ａの略上下中央部に対応する高さ位置まで延ばされている。下案内体４８の下端部は、前下カバー体１９の外面（横外面）に沿わされてる。
【００３３】
ここで、脱穀装置８の前部と刈取部４の後部との間には、前記エンジンからの動力を変速して刈取部４に伝達する変速装置５０が設けられている。変速装置５０は、例えば、静油圧式無段変速装置によって構成されている。変速装置５０の出力軸５０ａと刈取部４の入力軸４ａとに亘って、出力軸５０ａの動力を入力軸４ａに伝達するベルト伝動機構５１が設けられている。ベルト伝動機構５１には、出力軸５０ａに設けられた出力プーリ５２（本発明に係る「回転体」に相当）と、入力軸４ａに設けられた入力プーリ５３と、出力プーリ５２及び入力プーリ５３に巻き回されるベルト５４と、が備えられている。出力プーリ５２は、前上カバー体１６の横内方（右方）に設けられている。案内部材４５は、前上カバー体１６と出力プーリ５２との間を通されている。上案内体４７及び下案内体４８は、側面視で出力プーリ５２及びベルト５４と重複している。
【００３４】
〔別実施形態〕
（１）上記実施形態では、下案内体４８の下端部が前下カバー体１９の上端Ｐ２よりも下側の高さ位置まで延ばされている。しかし、下案内体４８の下端部は、上記実施形態に係る高さ位置よりも下側の高さ位置まで延ばされていてもよい。あるいは、下案内体４８の下端部は、前上カバー体１６の下端Ｐ１と前下カバー体１９の上端Ｐ２との間の高さ位置までしか延ばされていなくてもよい。
【００３５】
（２）上記実施形態では、下案内体４８の下端部が前下カバー体１９の外面に沿わされてる。しかし、下案内体４８の下端部は、前下カバー体１９の外面に沿わされていなくてもよい。
【００３６】
（３）上記実施形態では、下案内体４８がゴム等の樹脂製の部材によって構成されている。しかし、下案内体４８は、弾性変形可能な部材であれば、樹脂製以外の部材によって構成されていてもよい。あるいは、下案内体４８は、弾性変形不能な部材（例えば、板金部材）によって構成されていてもよい。
【００３７】
（４）上記実施形態では、案内部材４５が前上カバー体１６と出力プーリ５２との間を通されている。しかし、案内部材４５は、前上カバー体１６と出力プーリ５２との間を通されていなくてもよい。
【００３８】
（５）上記実施形態では、操作スイッチ３７がブラケット３８を介して脱穀装置８の前壁８Ｂに支持されている。しかし、操作スイッチ３７がブラケット３８を介して脱穀装置８の左側壁８Ａに支持されていてもよい。
【産業上の利用可能性】
【００３９】
本発明は、自脱型コンバインの他、全稈投入型コンバインにも利用可能である。
【符号の説明】
【００４０】
８  脱穀装置
８Ａ  左側壁（横側壁）
９  フィードチェーン
１３  カバー
１４  上カバー部材
１５  下カバー部材
３７  操作スイッチ（操作部材）
３８  ブラケット（支持部材）
４５  案内部材
５２  出力プーリ（回転体）
Ｇ  隙間
Ｐ１  前上カバー体の下端（上カバー部材の下端）
Ｐ２  前下カバー体の上端（下カバー部材の上端）
【図１】
2020103161.tif 000003
【図２】
2020103161.tif 000004
【図３】
2020103161.tif 000005
【図４】
2020103161.tif 000006
【図５】
2020103161.tif 000007
【図６】
2020103161.tif 000008